(57)【要約】      （修正有）【課題】製造コストを低減化できるシート材ユニット、及びシート材ユニット間の空隙がほとんどなく、帽子や衣服のためのシート材としても好適に使用できる連結式シート材を提供する。【解決手段】ユニット本体２の６つの頂点５の中から１つおきに選択された頂点５同士を結ぶ３つの対角線６のうち、１つ又は２つの対角線６の一端に位置する頂点５及び他端に位置する頂点５からそれぞれ当該対角線６に沿って切り込み７を入れることにより、当該対角線６の中央部の外側に平面視が二等辺三角形状のアンカー部３を設け、残りの対角線６の中央部に当該対角線６に沿って切れ目４を入れたシート材ユニット１。シート材ユニット１，１１のアンカー部３をシート材ユニット１，１１の切れ目４に挿通して着脱自在に掛止することにより、複数のシート材ユニット１，１１を着脱自在に連結した連結式シート材。【選択図】図３
0003164262.tif 000002
【実用新案登録請求の範囲】
【請求項１】
平面視が正六角形状のシート状に形成されかつ柔軟性を有するユニット本体の６つの頂点の中から１つおきに選択された頂点同士を結ぶ３つの対角線のうち、
１つ又は２つの対角線の一端に位置する頂点及び他端に位置する頂点からそれぞれ当該対角線に沿って切り込みを入れることにより、当該対角線の中央部の外側に平面視が二等辺三角形状のアンカー部を設け、
残りの対角線の中央部に当該対角線に沿って切れ目を入れたことを特徴とするシート材ユニット。
【請求項２】
平面視が正六角形状のシート状に形成されかつ柔軟性を有するユニット本体の６つの頂点の中から１つおきに選択された頂点同士を結ぶ３つの対角線のうち、
少なくとも１つの対角線の一端に位置する頂点及び他端に位置する頂点からそれぞれ当該対角線に沿って切り込みを入れることにより、当該対角線の中央部の外側に平面視が二等辺三角形状のアンカー部を設けたことを特徴とするシート材ユニット。
【請求項３】
平面視が正六角形状のシート状に形成されかつ柔軟性を有するユニット本体の６つの頂点の中から１つおきに選択された頂点同士を結ぶ３つの対角線のうち、
少なくとも１つの対角線の中央部に当該対角線に沿って切れ目を入れたことを特徴とするシート材ユニット。
【請求項４】
平面視が正方形状のシート状に形成されかつ柔軟性を有するユニット本体の４つの辺における隣接する中点同士を結ぶ４つの対角線のうち、
１つ、２つ、又は３つの対角線の一端に位置する中点及び他端に位置する中点からそれぞれ当該対角線に沿って切り込みを入れることにより、当該対角線の中央部の外側に平面視が二等辺三角形状のアンカー部を設け、
残りの対角線の中央部に当該対角線に沿って切れ目を入れたことを特徴とするシート材ユニット。
【請求項５】
前記４つの対角線のうち、
対向する２つの対角線の中央部の外側に前記アンカー部を設け、
対向する残り２つの対角線の中央部に前記切れ目を入れた請求項４に記載のシート材ユニット。
【請求項６】
平面視が正方形状のシート状に形成されかつ柔軟性を有するユニット本体の４つの辺における隣接する中点同士を結ぶ４つの対角線のうち、
少なくとも１つの対角線の一端に位置する中点及び他端に位置する中点からそれぞれ当該対角線に沿って切り込みを入れることにより、当該対角線の中央部の外側に平面視が二等辺三角形状のアンカー部を設けたことを特徴とするシート材ユニット。
【請求項７】
平面視が正方形状のシート状に形成されかつ柔軟性を有するユニット本体の４つの辺における隣接する中点同士を結ぶ４つの対角線のうち、
少なくとも１つの対角線の中央部に当該対角線に沿って切れ目を入れたことを特徴とするシート材ユニット。
【請求項８】
前記アンカー部の基部の幅が前記切れ目の長さと略同じ寸法である請求項１、４、又は５に記載のシート材ユニット。
【請求項９】
フェルトで構成された請求項１から８のいずれかに記載のシート材ユニット。
【請求項１０】
請求項１、２、４、５、６、８、又は９に記載でかつ前記アンカー部を有するシート材ユニットの当該アンカー部を、請求項１、３、４、５、７、８、又は９に記載でかつ前記切れ目を有するシート材ユニットの当該切れ目に挿通して着脱自在に掛止することにより、複数のシート材ユニットを着脱自在に連結したことを特徴とする連結式シート材。
【請求項１１】
請求項１、２、８、又は９に記載でかつ平面視が正六角形状の前記ユニット本体を有するシート材ユニットの前記アンカー部を、請求項７、８、又は９に記載でかつ平面視が正方形状の前記ユニット本体を有するシート材ユニットの前記切れ目に挿通して着脱自在に掛止するか、又は、
請求項４、５、６、８、又は９に記載でかつ平面視が正方形状の前記ユニット本体を有するシート材ユニットの前記アンカー部を、請求項３、８、又は９に記載でかつ平面視が正六角形状の前記ユニット本体を有するシート材ユニットの前記切れ目に挿通して着脱自在に掛止することにより、
複数のシート材ユニットを着脱自在に連結し、
平面視が正六角形状の前記ユニット本体における前記対角線の長さが、平面視が正方形状の前記ユニット本体における前記対角線の長さと略同じ寸法であることを特徴とする連結式シート材。
【請求項１２】
前記アンカー部の基部の幅が前記切れ目の長さと略同じ寸法である請求項１０又は１１に記載の連結式シート材。
【考案の詳細な説明】
【技術分野】
【０００１】
本考案は、複数のシート材ユニットを着脱自在に連結した連結式シート材、及びそれに使用される構成部材としてのシート材ユニットに関するものである。
【背景技術】
【０００２】
従来のこの種の技術としては、主形状部とその周縁部に一体に連なる複数の副形状部からなり、前記主形状部と前記副形状部の双方又はいずれか一方に１あるいは複数の開口部が形成され、フェルトからなるシート状物の構成部材であって、前記副形状部の先端部が、同形状である他の前記構成部材の主形状部又は副形状部の開口部に挿入された時に抜けることのない形状とされているシート状物の構成部材等が知られている（例えば、特許文献１参照。）。
【先行技術文献】
【特許文献】
【０００３】
【特許文献１】特開２００８−１２５７４３号公報（図３、図４、補正後の請求項１等）
【考案の開示】
【考案が解決しようとする課題】
【０００４】
上記のような構成部材は、シート状物において互いに連結された構成部材間に大きい空隙が生じるように形成することによって、シート状物の通気性の改善を目的としたものである。そのため、シート状物は、カーテン、壁掛け、カーペット、パーティション、電気スタンドの笠、照明器具のシェード等の室内装飾物のためのシート状物として使用できるものの、構成部材間の空隙が大きすぎるために、帽子や衣服のためのシート状物としては適していないという問題点がある。
【０００５】
また、上記のような構成部材においては、十字状や熊の頭部状等の前記空隙が大きくなるような形状としたり、前記開口部を形成したりする必要があり、原材料シートから構成部材を切り出す際や前記開口部を形成する際に大量の廃棄材が発生するので、製造コストが高いという問題点がある。
【０００６】
本考案は、以上のような事情や問題点に鑑みてなされたものであり、製造コストを低減化できるシート材ユニット、及びシート材ユニット間の空隙がほとんどなく、帽子や衣服のためのシート材としても好適に使用できる連結式シート材を提供することを目的とする。
【課題を解決するための手段】
【０００７】
上記目的を達成するための第１の考案に係るシート材ユニットは、平面視が正六角形状のシート状に形成されかつ柔軟性を有するユニット本体の６つの頂点の中から１つおきに選択された頂点同士を結ぶ３つの対角線のうち、１つ又は２つの対角線の一端に位置する頂点及び他端に位置する頂点からそれぞれ当該対角線に沿って切り込みを入れることにより、当該対角線の中央部の外側に平面視が二等辺三角形状のアンカー部を設け、残りの対角線の中央部に当該対角線に沿って切れ目を入れたものである。
【０００８】
第２の考案に係るシート材ユニットは、平面視が正六角形状のシート状に形成されかつ柔軟性を有するユニット本体の６つの頂点の中から１つおきに選択された頂点同士を結ぶ３つの対角線のうち、少なくとも１つの対角線の一端に位置する頂点及び他端に位置する頂点からそれぞれ当該対角線に沿って切り込みを入れることにより、当該対角線の中央部の外側に平面視が二等辺三角形状のアンカー部を設けたものである。
【０００９】
第３の考案に係るシート材ユニットは、平面視が正六角形状のシート状に形成されかつ柔軟性を有するユニット本体の６つの頂点の中から１つおきに選択された頂点同士を結ぶ３つの対角線のうち、少なくとも１つの対角線の中央部に当該対角線に沿って切れ目を入れたものである。
【００１０】
第４の考案に係るシート材ユニットは、平面視が正方形状のシート状に形成されかつ柔軟性を有するユニット本体の４つの辺における隣接する中点同士を結ぶ４つの対角線のうち、１つ、２つ、又は３つの対角線の一端に位置する中点及び他端に位置する中点からそれぞれ当該対角線に沿って切り込みを入れることにより、当該対角線の中央部の外側に平面視が二等辺三角形状のアンカー部を設け、残りの対角線の中央部に当該対角線に沿って切れ目を入れたものである。
【００１１】
第５の考案に係るシート材ユニットは、前記４つの対角線のうち、対向する２つの対角線の中央部の外側に前記アンカー部を設け、対向する残り２つの対角線の中央部に前記切れ目を入れたものである。
【００１２】
第６の考案に係るシート材ユニットは、平面視が正方形状のシート状に形成されかつ柔軟性を有するユニット本体の４つの辺における隣接する中点同士を結ぶ４つの対角線のうち、少なくとも１つの対角線の一端に位置する中点及び他端に位置する中点からそれぞれ当該対角線に沿って切り込みを入れることにより、当該対角線の中央部の外側に平面視が二等辺三角形状のアンカー部を設けたものである。
【００１３】
第７の考案に係るシート材ユニットは、平面視が正方形状のシート状に形成されかつ柔軟性を有するユニット本体の４つの辺における隣接する中点同士を結ぶ４つの対角線のうち、少なくとも１つの対角線の中央部に当該対角線に沿って切れ目を入れたものである。
【００１４】
第８の考案に係るシート材ユニットにおいては、前記アンカー部の基部の幅が前記切れ目の長さと略同じ寸法である。
【００１５】
第９の考案に係るシート材ユニットは、フェルトで構成されたものである。
【００１６】
また、第１０の考案に係る連結式シート材は、第１、第２、第４、第５、第６、第８、又は第９の考案でかつ前記アンカー部を有するシート材ユニットの当該アンカー部を、第１、第３、第４、第５、第７、第８、又は第９の考案でかつ前記切れ目を有するシート材ユニットの当該切れ目に挿通して着脱自在に掛止することにより、複数のシート材ユニットを着脱自在に連結したものである。
【００１７】
第１１の考案に係る連結式シート材においては、第１、第２、第８、又は第９の考案でかつ平面視が正六角形状の前記ユニット本体を有するシート材ユニットの前記アンカー部を、第７、第８、又は第９の考案でかつ平面視が正方形状の前記ユニット本体を有するシート材ユニットの前記切れ目に挿通して着脱自在に掛止するか、又は、第４、第５、第６、第８、又は第９の考案でかつ平面視が正方形状の前記ユニット本体を有するシート材ユニットの前記アンカー部を、第３、第８、又は第９の考案でかつ平面視が正六角形状の前記ユニット本体を有するシート材ユニットの前記切れ目に挿通して着脱自在に掛止することにより、複数のシート材ユニットを着脱自在に連結し、平面視が正六角形状の前記ユニット本体における前記対角線の長さが、平面視が正方形状の前記ユニット本体における前記対角線の長さと略同じ寸法である。
【００１８】
第１２の考案に係る連結式シート材においては、前記アンカー部の基部の幅が前記切れ目の長さと略同じ寸法である。
【考案の効果】
【００１９】
第１〜第４、第６、及び第７の考案によれば、製造時における廃棄材の発生量を抑えることができるので、製造コストを低減化することができる。
【００２０】
第５の考案によれば、アンカー部と切れ目が交互に隣接しているので、複数のシート材ユニットを着脱自在に連結する際の自由度を高めることができる。
【００２１】
第８及び第１１の考案によれば、アンカー部の基部の幅が切れ目の長さと略同じ寸法であるので、アンカー部を切れ目に対してより緊密に掛止することができる。
【００２２】
第９の考案によれば、保温性や弾力性に優れると共に、切断面からもほつれにくいので、複数のフェルト製のシート材ユニットを着脱自在に連結した連結式シート材を帽子や衣服のためのシート材としてより好適に使用することができる。
【００２３】
第１０の考案によれば、シート材ユニット間に空隙がほとんどないので、カーテン、壁掛け、カーペット、パーティション、電気スタンドの笠、照明器具のシェード等の室内装飾物のためのシート材の他、帽子や衣服のためのシート材としても好適に使用することができる。
【００２４】
第１１の考案によれば、第１０の考案と同様の効果を有すると共に、平面視が正六角形状の前記ユニット本体を有するシート材ユニットと、平面視が正方形状の前記ユニット本体を有するシート材ユニットを組み合わせる場合でも、連結し易い。
【図面の簡単な説明】
【００２５】
【図１】第１実施形態に係るシート材ユニットの平面図である。
【図２】図１の左方向から見たシート材ユニットの左側面図である。
【図３】第１実施形態のシート材ユニットと第２実施形態のシート材ユニットを連結する様子を示す平面図である。
【図４】第１実施形態のシート材ユニットと第２実施形態のシート材ユニットを連結した後の状態を示す平面図である。
【図５】図４のＡ−Ａ線端面図である。
【図６】第１実施形態のシート材ユニットと第２実施形態のシート材ユニットを連結した後の状態を示す底面図である。
【図７】複数のシート材ユニットを連結する様子を示す平面図である。
【図８】複数のシート材ユニットを連結した後の状態を示す平面図である。
【図９】複数のシート材ユニットを連結した後の状態を示す底面図である。
【図１０】連結式シート材の要部拡大平面図である。
【図１１】連結式シート材の要部拡大底面図である。
【図１２】第３実施形態に係るシート材ユニットの平面図である。
【図１３】図１２の左方向から見たシート材ユニットの拡大左側面図である。
【図１４】複数のシート材ユニットを連結する様子を示す平面図である。
【図１５】複数のシート材ユニットを連結した後の状態を示す平面図である。
【図１６】複数のシート材ユニットを連結した後の状態を示す底面図である。
【図１７】連結式シート材の要部拡大平面図である。
【図１８】連結式シート材の要部拡大底面図である。
【考案を実施するための形態】
【００２６】
第１実施形態に係るシート材ユニット１は、図１に示すように、ユニット本体２に１つのアンカー部３及び２つの切れ目４を設けたものである。
【００２７】
ユニット本体２は、図１及び図２に示すように、平面視が正六角形状のシート状に形成されており、柔軟性を有している。ユニット本体２の１辺の長さとしては数十ｍｍ、厚さとしては数ｍｍが適当であるが、適宜変更可能である。なお、ユニット本体２には、平面視が正六角形のユニット本体２の他、平面視が丸みを帯びた正六角形のユニット本体も含まれる。
【００２８】
柔軟性を有するユニット本体２の材質としては、フェルト、不織布、織物、編物、天然皮革（レザー）、合成皮革、軟質プラスチック、ゴム、熱可塑性エラストマー等が挙げられる。フェルトとしては、織フェルト、圧縮フェルト等が挙げられる。織物としては、圧縮ウール、メルトン、フラノ、カシミア、アンゴラ、アルパカ混ウール等が挙げられる。編物としては、圧縮ニット等が挙げられる。なお、シート状のユニット本体２は、単層シートで構成されていてもよいし、薄手の生地、ほつれるおそれがある生地、破れるおそれがある生地（古布など。いわゆる弱った生地。）等の基材シートの片面又は両面に接着芯（接着芯地）等の強化用シートを貼り付けた積層シートや、複数層からなる積層シートで構成されていてもよい。
【００２９】
ユニット本体２の６つの頂点５の中から１つおきに選択された頂点５同士を結ぶ３つの対角線６のうち、１つの対角線６の中央部の外側には、当該対角線６の一端に位置する頂点５及び他端に位置する頂点５からそれぞれ当該対角線６に沿って切り込み７を入れることにより、平面視が二等辺三角形状のアンカー部３が設けられている。残り２つの対角線６の中央部には、当該対角線６に沿って切れ目４が設けられている。
【００３０】
第２実施形態に係るシート材ユニット１１は、図３に示すように、第１実施形態と同様のユニット本体２に、それぞれ第１実施形態と同様の２つのアンカー部３及び１つの切れ目４を設けたものである。
【００３１】
アンカー部３は、前記３つの対角線６のうちの２つの対角線６の中央部の外側に第１実施形態と同様にして設けられている。切れ目４は、残り１つの対角線６の中央部に第１実施形態と同様にして設けられている。
【００３２】
次に、第１実施形態のシート材ユニット１と第２実施形態のシート材ユニット１１の連結方法の一例について説明する。
シート材ユニット１とシート材ユニット１１を着脱自在に連結するには、図３〜図６に示すように、まず、シート材ユニット１のアンカー部３を、シート材ユニット１１の切れ目４に下面側から上面側に向かって挿通して着脱自在に掛止する。
【００３３】
次いで、図７〜図９に示すように、連結後のシート材ユニット１１のアンカー部３を他のシート材ユニット１の切れ目４に上記と同様にして着脱自在に掛止する一方、連結後のシート材ユニット１の切れ目４に更に他のシート材ユニット１１のアンカー部３を上記と同様にして着脱自在に掛止する。なお、アンカー部３は、適宜の位置で、切れ目４に上面側から下面側に向かって挿通して着脱自在に掛止してもよい。
【００３４】
このような作業を繰り返すことにより、図１０及び図１１のような規則正しいパターンで複数のシート材ユニット１，１１を着脱自在に連結していけば、フラットでかつシート材ユニット１，１１間に空隙がほとんどない連結式シート材１２を組み立てることができる。この連結式シート材１２においては、図１１に示すように、シート材ユニット１のユニット本体２における３つの対角線６で形成される正三角形Ｔ１（図１参照）と、シート材ユニット１１のユニット本体２における３つの対角線６で形成される正三角形Ｔ２（図３参照）を交互に並べたような規則正しいパターンで、複数のシート材ユニット１，１１が着脱自在に連結されている。また、シート材ユニット１，１１を間引いたり追加したりして複数のシート材ユニット１，１１を変則パターンで連結すれば、連結式シート材１２の適宜の位置に凸部や凹部を設けることができるので、連結式シート材１２を、正二十面体状、正八面体状、正四面体状等を含む所望の立体的形状に形成することもできる。このように、複数のシート材ユニット１，１１を所望の立体的形状になるように連結していけば、立体的形状を有する連結式シート材１２で構成された帽子や衣服等を組み立てることもできる。更に、複数のシート材ユニット１，１１の連結の仕方によって連結式シート材１２の形状を自由に変更できるので、シート材ユニット１，１１を幼児や児童等のための知育玩具としても使用することができる。なお、上記とは逆に、アンカー部３を切れ目４から外すことにより、シート材ユニット１，１１を取り外していけば、連結式シート材１２を分解することができる。
【００３５】
以上のように構成された連結式シート材１２においては、図１０及び図１１に示すように、シート材ユニット１，１１間に空隙がほとんどないので、カーテン、壁掛け、カーペット、パーティション、電気スタンドの笠、照明器具のシェード等の室内装飾物のためのシート材の他、帽子や衣服のためのシート材としても好適に使用できるという利点がある。
【００３６】
また、シート材ユニット１，１１においては、平面視が正六角形状のユニット本体２で構成されているので、原材料シートからシート材ユニット１，１１を切り出す際には、ほとんど無駄なく切り出すことができる。更に、ユニット本体２に切り込み７や切れ目４を入れる際には、従来のような平面視が円状等の開口部を形成する場合とは異なり、廃棄材が発生することはない。このように、シート材ユニット１，１１においては、製造時における廃棄材の発生量を抑えることができるので、製造コストを低減化できるという利点がある。
【００３７】
なお、連結式シート材１２の組み立てに際しては、シート材ユニット１，１１の他、アンカー部３だけを前記３つの対角線６のうちの１つ、２つ、又は３つの対角線６の中央部の外側に設けたシート材ユニットや、切れ目４だけを前記３つの対角線６のうちの１つ、２つ、又は３つの対角線６の中央部に設けたシート材ユニットを使用してもよいし、第１実施形態のシート材ユニット１だけを使用したり、第２実施形態のシート材ユニット１１だけを使用したりしてもよい。また、シート材ユニット１，１１、上記のようなユニット本体２にアンカー部３だけを設けたシート材ユニット、ユニット本体２に切れ目４だけを設けたシート材ユニット、これらのサイズ違いのシート材ユニットや色違いのシート材ユニットを適宜に組み合わせてもよい。サイズ違いのシート材ユニットを使用する場合には、アンカー部３の基部の幅Ｌ１（図３参照）を統一化すると共に、切れ目４の長さＬ２（図３参照）も統一化しておけばよい。
【００３８】
ここで、アンカー部３の基部の幅Ｌ１が切れ目の長さＬ２と略同じ寸法であれば、アンカー部３を切れ目４に対してより緊密に掛止できるという利点がある。また、シート材ユニット１，１１がフェルトで構成されていれば、保温性や弾力性に優れると共に、切断面からもほつれにくいので、複数のフェルト製のシート材ユニット１，１１を着脱自在に連結した連結式シート材１２を帽子や衣服のためのシート材としてより好適に使用できるという利点がある。
【００３９】
第３実施形態に係るシート材ユニット２１は、図１２に示すように、ユニット本体２２に２つのアンカー部３及び２つの切れ目４を設けたものである。
【００４０】
ユニット本体２２は、図１２及び図１３に示すように、平面視が正方形状のシート状に形成されており、柔軟性を有している。柔軟性を有するユニット本体２２の材質としては、既述のユニット本体２と同様である。ユニット本体２２の１辺の長さとしては数十ｍｍ、厚さとしては数ｍｍが適当であるが、適宜変更可能である。なお、ユニット本体２２には、平面視が正方形のユニット本体２２の他、平面視が丸みを帯びた正方形のユニット本体も含まれる。
【００４１】
ユニット本体２２の４つの辺２３における隣接する中点２４同士を結ぶ４つの対角線２５のうち、２つの対角線２５の中央部の外側には、当該対角線２５の一端に位置する中点２４及び他端に位置する中点２４からそれぞれ当該対角線２５に沿って切り込み７を入れることにより、平面視が二等辺三角形状のアンカー部３が設けられている。残り２つの対角線２５の中央部には、当該対角線２５に沿って切れ目４が設けられている。
【００４２】
次に、第３実施形態のシート材ユニット２１同士の連結方法の一例について説明する。
複数のシート材ユニット２１を着脱自在に連結するには、図１４〜図１６に示すように、シート材ユニット２１のアンカー部３を他のシート材ユニット２１の切れ目４に下面側から上面側に向かって挿通して着脱自在に掛止する一方、シート材ユニット２１の切れ目４に更に他のシート材ユニット２１のアンカー部３を下面側から上面側に向かって挿通して着脱自在に掛止する。なお、アンカー部３は、適宜の位置で、切れ目４に上面側から下面側に向かって挿通して着脱自在に掛止してもよい。
【００４３】
このような作業を繰り返すことにより、図１７及び図１８のような規則正しいパターンで複数のシート材ユニット２１を着脱自在に連結していけば、フラットでかつシート材ユニット２１間に空隙がほとんどない連結式シート材３２を組み立てることができる。この連結式シート材３２においては、図１８に示すように、シート材ユニット２１のユニット本体２２における４つの対角線２５で形成される正方形Ｓ（図１２参照）を縦横に並べたような規則正しいパターンで、複数のシート材ユニット２１が着脱自在に連結されている。また、シート材ユニット２１を間引いたり追加したりして複数のシート材ユニット２１を変則パターンで連結すれば、連結式シート材３２の適宜の位置に凸部や凹部を設けることができるので、連結式シート材３２を正六面体状等を含む所望の立体的形状に形成することもできる。このように、複数のシート材ユニット２１を所望の立体的形状になるように連結していけば、立体的形状を有する連結式シート材３２で構成された帽子や衣服等を組み立てることもできる。更に、複数のシート材ユニット２１の連結の仕方によって連結式シート材３２の形状を自由に変更できるので、シート材ユニット２１を幼児や児童等のための知育玩具としても使用することができる。なお、上記とは逆に、アンカー部３を切れ目４から外すことにより、シート材ユニット２１を取り外していけば、連結式シート材３２を分解することができる。
【００４４】
以上のように構成された連結式シート材３２においては、既述の連結式シート材１２の場合と同様、図１７及び図１８に示すように、シート材ユニット２１間に空隙がほとんどないので、カーテン、壁掛け、カーペット、パーティション、電気スタンドの笠、照明器具のシェード等の室内装飾物のためのシート材の他、帽子や衣服のためのシート材としても好適に使用できるという利点がある。
【００４５】
また、シート材ユニット２１においては、平面視が正方形状のユニット本体２２で構成されているので、原材料シートからシート材ユニット２１を切り出す際には、ほとんど無駄なく切り出すことができる。更に、ユニット本体２２に切り込み７や切れ目４を入れる際には、従来のような平面視が円状等の開口部を形成する場合とは異なり、廃棄材が発生することはない。このように、シート材ユニット２１においては、製造時における廃棄材の発生量を抑えることができるので、製造コストを低減化できるという利点がある。
【００４６】
なお、連結式シート材３２の組み立てに際しては、シート材ユニット２１の他、アンカー部３だけを前記４つの対角線２５のうちの１つ、２つ、３つ、又は４つの対角線２５の中央部の外側に設けたシート材ユニットや、切れ目４だけを前記４つの対角線２５のうちの１つ、２つ、３つ、又は４つの対角線２５の中央部に設けたシート材ユニットを使用してもよいし、本実施形態のシート材ユニット２１だけを使用してもよい。また、本実施形態のシート材ユニット２１、上記のようなユニット本体２２にアンカー部３だけを設けたシート材ユニット、ユニット本体２２に切れ目４だけを設けたシート材ユニット、第１実施形態のシート材ユニット１、第２実施形態のシート材ユニット１１、既述のユニット本体２にアンカー部３だけを設けたシート材ユニット、ユニット本体２に切れ目４だけを設けたシート材ユニット、これらのサイズ違いのシート材ユニットや色違いのシート材ユニットを適宜に組み合わせてもよい。サイズ違いのシート材ユニットを使用する場合には、アンカー部３の基部の幅Ｌ１（図１２参照）を統一化すると共に、切れ目４の長さＬ２（図１２参照）も統一化しておけばよい。
【００４７】
ここで、平面視が正六角形状の前記ユニット本体２を有するシート材ユニット１，１１等の前記アンカー部３を、平面視が正方形状の前記ユニット本体２２を有するシート材ユニット２１等の前記切れ目４に挿通して着脱自在に掛止するか、又は、平面視が正方形状の前記ユニット本体２２を有するシート材ユニット２１等の前記アンカー部３を、平面視が正六角形状の前記ユニット本体２を有するシート材ユニット１，１１等の前記切れ目４に挿通して着脱自在に掛止することにより、複数のシート材ユニット１，１１，２１等を着脱自在に連結する場合において、平面視が正六角形状の前記ユニット本体２における前記対角線６の長さが、平面視が正方形状の前記ユニット本体２２における前記対角線２５の長さと略同じ寸法であれば、平面視が正六角形状の前記ユニット本体２を有するシート材ユニット１，１１等と、平面視が正方形状の前記ユニット本体２２を有するシート材ユニット２１等を組み合わせる場合でも、連結し易いという利点がある。更に、アンカー部３の基部の幅Ｌ１が切れ目４の長さＬ２と略同じ寸法であれば、既述の場合と同様、アンカー部３を切れ目４に対してより緊密に掛止できるという利点がある。また、シート材ユニット２１がフェルトで構成されていれば、保温性や弾力性に優れると共に、切断面からもほつれにくいので、複数のフェルト製のシート材ユニット２１を着脱自在に連結した連結式シート材３２を帽子や衣服のためのシート材としてより好適に使用できるという利点がある。
【００４８】
また、本実施形態のように、対向する２つの対角線２５の中央部の外側にアンカー部３を設け、対向する残り２つの対角線２５の中央部に切れ目４を入れておけば、アンカー部３と切れ目４が交互に隣接するので、複数のシート材ユニット２１を着脱自在に連結する際の自由度を高めることができるという利点がある。
【産業上の利用可能性】
【００４９】
以上のように、本考案に係る連結式シート材は、カーテン、壁掛け、カーペット、パーティション、電気スタンドの笠、照明器具のシェード等の室内装飾物のためのシート材の他、帽子や衣服のためのシート材としても好適に使用することができる。また、本考案に係るシート材ユニットは、上記のような連結式シート材に使用される安価な構成部材として有用であると共に、幼児や児童等のための知育玩具としても使用することができる。
【符号の説明】
【００５０】
１  シート材ユニット
２  ユニット本体
３  アンカー部
４  切れ目
５  頂点
６  対角線
７  切り込み
１１  シート材ユニット
１２  連結式シート材
２１  シート材ユニット
２２  ユニット本体
２３  辺
２４  中点
２５  対角線
３２  連結式シート材
【図１】
0003164262.tif 000003
【図２】
0003164262.tif 000004
【図３】
0003164262.tif 000005
【図４】
0003164262.tif 000006
【図５】
0003164262.tif 000007
【図６】
0003164262.tif 000008
【図７】
0003164262.tif 000009
【図８】
0003164262.tif 000010
【図９】
0003164262.tif 000011
【図１０】
0003164262.tif 000012
【図１１】
0003164262.tif 000013
【図１２】
0003164262.tif 000014
【図１３】
0003164262.tif 000015
【図１４】
0003164262.tif 000016
【図１５】
0003164262.tif 000017
【図１６】
0003164262.tif 000018
【図１７】
0003164262.tif 000019
【図１８】
0003164262.tif 000020